【手続補正書】
【提出日】平成30年12月6日(2018.12.6)
【手続補正１】
【補正対象書類名】特許請求の範囲
【補正対象項目名】全文
【補正方法】変更
【補正の内容】
【特許請求の範囲】
【請求項１】
血管医療デバイス送達または回収のための装置であって、前記装置は、
編組を含む可撓な遠位延長部を有し、軸を有する伸長シャフトであって、前記遠位延長部は、遠位開口部において内向きに折り返され、より近位の開口部を形成し、前記近位の開口部は、前記医療デバイスを固定するために、前記近位の開口部を通して前記医療デバイスの一部を受け取るようにサイズ決定されている、伸長シャフトと、
前記近位の開口部を包囲する、前記編組の２つの層間に位置付けられる少なくとも１つのリング部材と
を備える、装置。
【請求項２】
前記リング部材は、少なくとも１つの可撓な材料ストランドを含む、請求項１に記載の装置。
【請求項３】
前記少なくとも１つのストランドは、少なくとも部分的に、作動に応じて前記近位の開口部を閉じるように構成されている、請求項２に記載の装置。
【請求項４】
前記少なくとも１つのストランドは、遠位端においてアイレットスプライスを含む単一のストランドである、請求項３に記載の装置。
【請求項５】
前記少なくとも１つのストランドのテザー部分または複数のテザー部分が、前記近位の開口部の近位で前記装置に接続される、請求項２に記載の装置。
【請求項６】
前記テザー部分または複数のテザー部分は、前記伸長シャフトの近位端において接続される、請求項５に記載の装置。
【請求項７】
前記延長部区分の編組は、前記伸長部材の前進が、前記テザー部分または複数のテザー部分に対する前記遠位延長部の伸長によって、前記近位の開口部を閉じるように構成されている、請求項６に記載の装置。
【請求項８】
前記シャフトの近位端におけるユーザインターフェースをさらに備え、前記ユーザインターフェースは、前記開口部を閉じるまたは解放のために前記テザー部分または複数のテザー部分を作動させるように、前記テザー部分または複数のテザー部分に接続され、前記ユーザインターフェースは、前記伸長シャフトによって受け取られるハンドルおよびプラグから選択される、請求項６に記載の装置。
【請求項９】
前記リング部材を交差するように位置付けられる少なくとも１つの部材をさらに備える、請求項１に記載の装置。
【請求項１０】
２つの部材が、Ｘパターンにおいて前記リング部材を交差する、請求項９に記載の装置。
【請求項１１】
前記少なくとも１つの可撓なストランドは、前記近位の開口部を交差する、請求項２に記載の装置。
【請求項１２】
前記少なくとも１つの可撓なストランドは、Ｘパターンにおいて前記近位の開口部を交差する、請求項１１に記載の装置。
【請求項１３】
前記少なくとも１つのストランドのテザー部分または複数のテザー部分が、前記近位の開口部の近位で前記装置に接続される、請求項１１に記載の装置。
【請求項１４】
前記テザー部分または複数のテザー部分は、前記伸長シャフトの近位端において接続される、請求項１３に記載の装置。
【請求項１５】
前記近位の開口部を交差するように位置付けられる少なくとも１つの可撓なストランドをさらに備える、請求項１に記載の装置。
【請求項１６】
前記少なくとも１つのストランドは、Ｘパターンにおいて前記開口部を交差する、請求項１５に記載の装置。
【請求項１７】
前記少なくとも１つのストランドのテザー部分または複数のテザー部分が、前記近位の開口部の近位で前記装置に接続される、請求項１６に記載の装置。
【請求項１８】
前記テザー部分または複数のテザー部分は、前記伸長シャフトの近位端において接続される、請求項１７に記載の装置。
【請求項１９】
前記可撓な部材はまた、前記近位の開口部を包囲するように、前記編組の２つの層間に位置付けられる、請求項１８に記載の装置。
【請求項２０】
前記少なくとも１つのストランドは、遠位端においてアイレットスプライスを含む単一のストランドである、請求項１９に記載の装置。
【請求項２１】
医療デバイス回収のためのシステムであって、
シースと、
編組漏斗形状遠位延長部を有する伸長部材であって、前記シースを通過するように構成されている伸長部材と
を備え、前記医療デバイスを捕捉するために、前記医療デバイスの端部は、前記漏斗形状遠位延長部において画定される遠位開口を通過し、次いで、近位開口を通過するように構成されており、
前記医療デバイスは、前記シースを用いて被覆されるように構成され、
前記近位開口は、テザーの引き抜きによって、少なくとも部分的に閉じられるように構成されている、システム。
【請求項２２】
前記シースは、前記医療デバイスを被覆するために前進するように構成されている、請求項２１に記載のシステム。
【請求項２３】
前記医療デバイスは、前記シースが前進させられた後、前記シースを通して引き抜かれるように構成されている、請求項２２に記載のシステム。
【請求項２４】
前記テザーは、前記シース上の前記遠位延長部の伸長によって引き抜かれる、請求項２３に記載のシステム。
【請求項２５】
前記医療デバイスは、フックを含み、前記フックは、近位開口において捕捉される、請求項２１に記載のシステム。
【請求項２６】
前記フックは、捕捉のために、前記近位開口において周縁および開口交差部材または複数の開口交差部材のうちの少なくとも１つに係合する、請求項２５に記載のシステム。
【請求項２７】
医療デバイスを製造する方法であって、前記方法は、
第１の折り目を伴う管状編組の区分を形成することと、
前記第１の折り目に隣接して第２の折り目を伴う編組を形成することにより、前記第１および第２の折り目と近位開口との間に内部フラップを提供することと、
前記開口の周囲の前記第２の折り目にリングを配置することと
を含む、方法。
【請求項２８】
前記リングは、少なくとも１つの可撓なストランドを含む、請求項２７に記載の方法。
【請求項２９】
１つの可撓なストランドが、使用され、前記ストランドは、継ぎ合わされたアイレットを含み、前記アイレットを通して前記ストランドの近位端が前記リングを形成するように給送される、請求項２８に記載の方法。
【請求項３０】
前記開口を交差するように、１回目に前記フラップを通して前記近位端を給送することをさらに含む、請求項２８に記載の方法。
【請求項３１】
２回目に前記開口を交差するように前記開口を部分的に包囲した後、２回目に前記フラップを通して前記近位端を給送することをさらに含む、請求項３０に記載の方法。
【請求項３２】
テザーの近位端を前記延長部の近位で前記医療デバイスに固定することをさらに含む、請求項３１に記載の方法。
【請求項３３】
前記近位端は、前記医療デバイスのシャフトの近位端において糊付けされる、請求項３２に記載の方法。
【手続補正２】
【補正対象書類名】明細書
【補正対象項目名】０００８
【補正方法】変更
【補正の内容】
【０００８】
本明細書に説明される主題の他のシステム、デバイス、方法、特徴、および利点が、以下の図および詳細な説明の考察に応じて、当業者に明白であるまたは明白となる。全てのそのような付加的システム、デバイス、方法、特徴、および利点が、本説明内に含まれ、本明細書に説明される主題の範囲内であり、付随の特許請求の範囲によって保護されることが意図される。例示的実施形態の特徴は、特許請求の範囲にそれらの特徴の明確な列挙がない限り、添付される特許請求の範囲を限定するものとして解釈されるべきでは全くない。
本発明は、例えば、以下を提供する。
（項目１）
血管医療デバイス送達または回収のための装置であって、前記装置は、
編組を含む可撓な遠位延長部を有し、軸を有する伸長シャフトであって、前記遠位延長部は、遠位開口部において内向きに折り返され、より近位の開口部を形成し、前記近位の開口部は、前記医療デバイスを固定するために、前記近位の開口部を通して前記医療デバイスの一部を受け取るようにサイズ決定されている、伸長シャフトと、
前記近位の開口部を包囲する、前記編組の２つの層間に位置付けられる少なくとも１つのリング部材と
を備える、装置。
（項目２）
前記リング部材は、少なくとも１つの可撓な材料ストランドを含む、項目１に記載の装置。
（項目３）
前記少なくとも１つのストランドは、少なくとも部分的に、作動に応じて前記近位の開口部を閉じるように構成されている、項目２に記載の装置。
（項目４）
前記少なくとも１つのストランドは、遠位端においてアイレットスプライスを含む単一のストランドである、項目３に記載の装置。
（項目５）
前記少なくとも１つのストランドのテザー部分または複数のテザー部分が、前記近位の開口部の近位で前記装置に接続される、項目２に記載の装置。
（項目６）
前記テザー部分または複数のテザー部分は、前記伸長シャフトの近位端において接続される、項目５に記載の装置。
（項目７）
前記延長部区分の編組は、前記伸長部材の前進が、前記テザー部分または複数のテザー部分に対する前記遠位延長部の伸長によって、前記近位の開口部を閉じるように構成されている、項目６に記載の装置。
（項目８）
前記シャフトの近位端におけるユーザインターフェースをさらに備え、前記ユーザインターフェースは、前記開口部を閉じるまたは解放のために前記テザー部分または複数のテザー部分を作動させるように、前記テザー部分または複数のテザー部分に接続され、前記ユーザインターフェースは、前記伸長シャフトによって受け取られるハンドルおよびプラグから選択される、項目６に記載の装置。
（項目９）
前記リング部材を交差するように位置付けられる少なくとも１つの部材をさらに備える、項目１に記載の装置。
（項目１０）
２つの部材が、Ｘパターンにおいて前記リング部材を交差する、項目９に記載の装置。
（項目１１）
前記少なくとも１つの可撓なストランドは、前記近位の開口部を交差する、項目２に記載の装置。
（項目１２）
前記少なくとも１つの可撓なストランドは、Ｘパターンにおいて前記近位の開口部を交差する、項目１１に記載の装置。
（項目１３）
前記少なくとも１つのストランドのテザー部分または複数のテザー部分が、前記近位の開口部の近位で前記装置に接続される、項目１１に記載の装置。
（項目１４）
前記テザー部分または複数のテザー部分は、前記伸長シャフトの近位端において接続される、項目１３に記載の装置。
（項目１５）
前記近位の開口部を交差するように位置付けられる少なくとも１つの可撓なストランドをさらに備える、項目１に記載の装置。
（項目１６）
前記少なくとも１つのストランドは、Ｘパターンにおいて前記開口部を交差する、項目１５に記載の装置。
（項目１７）
前記少なくとも１つのストランドのテザー部分または複数のテザー部分が、前記近位の開口部の近位で前記装置に接続される、項目１６に記載の装置。
（項目１８）
前記テザー部分または複数のテザー部分は、前記伸長シャフトの近位端において接続される、項目１７に記載の装置。
（項目１９）
前記可撓な部材はまた、前記近位の開口部を包囲するように、前記編組の２つの層間に位置付けられる、項目１８に記載の装置。
（項目２０）
前記少なくとも１つのストランドは、遠位端においてアイレットスプライスを含む単一のストランドである、項目１９に記載の装置。
（項目２１）
医療デバイス回収の方法であって、
編組漏斗形状遠位延長部を有する伸長部材にシースを通過させることと、
前記医療デバイスを捕捉するために、前記医療デバイスの端部に、前記漏斗形状遠位延長部において画定される遠位開口を通過させ、次いで、近位開口を通過させることと、
前記シースを用いて前記医療デバイスを被覆し、テザーを引き抜くことによって、前記近位開口を少なくとも部分的に閉じることと
を含む、方法。
（項目２２）
前記医療デバイスを被覆するために、前記シースを前進させることを含む、項目２１に記載の方法。
（項目２３）
前記シースが前進させられた後、前記シースを通して前記医療デバイスを引き抜くことを含む、項目２２に記載の方法。
（項目２４）
前記テザーは、前記シース上の前記遠位延長部の伸長によって引き抜かれる、項目２３に記載の方法。
（項目２５）
前記医療デバイスは、フックを含み、前記フックは、近位開口において捕捉される、項目２１に記載の方法。
（項目２６）
前記フックは、捕捉のために、前記近位開口において周縁および開口交差部材または複数の開口交差部材のうちの少なくとも１つに係合する、項目２５に記載の装置。
（項目２７）
医療デバイスを製造する方法であって、前記方法は、
第１の折り目を伴う管状編組の区分を形成することと、
前記第１の折り目に隣接して第２の折り目を伴う編組を形成することにより、前記第１および第２の折り目と近位開口との間に内部フラップを提供することと、
前記開口の周囲の前記第２の折り目にリングを配置することと
を含む、方法。
（項目２８）
前記リングは、少なくとも１つの可撓なストランドを含む、項目２７に記載の方法。
（項目２９）
１つの可撓なストランドが、使用され、前記ストランドは、継ぎ合わされたアイレットを含み、前記アイレットを通して前記ストランドの近位端が前記リングを形成するように給送される、項目２８に記載の方法。
（項目３０）
前記開口を交差するように、１回目に前記フラップを通して前記近位端を給送することをさらに含む、項目２８に記載の方法。
（項目３１）
２回目に前記開口を交差するように前記開口を部分的に包囲した後、２回目に前記フラップを通して前記近位端を給送することをさらに含む、項目３０に記載の方法。
（項目３２）
テザーの近位端を前記延長部の近位で前記医療デバイスに固定することをさらに含む、項目３１に記載の方法。
（項目３３）
前記近位端は、前記医療デバイスのシャフトの近位端において糊付けされる、項目３２に記載の方法。